(57)【要約】【課題】分割された画像表示を行う複数の端末側に特に新しい工夫を行うことなく、１つの画像を複数の端末の表示パネルに同期がとれた状態にて表示すること。【解決手段】以下のような画像通信方法を採用する。１つの端末から、画像ＵＲＬと、複数の端末のメールアドレスと、分割画像領域に関するデータを受け取り、画像を受ける各端末と、分割画像領域、分割画像データの対応関係をとり、分割画像データを同期処理させて各端末に各分割画像データを送信する。【選択図】図２
2013134531.tif 000002
【特許請求の範囲】
【請求項１】
第一外部端末から、外部サイトの第一ＵＲＬと、前記第一外部端末に対応する第一メールアドレス及び第二外部端末に対応する第二メールアドレスと、前記外部サイトの前記第一ＵＲＬの第一画像データを２つに分割表示するための第一及び第二表示領域情報と前記第一及び第二メールアドレスとの対応関係を示す第一情報を受信する第一ステップと、
前記第一ステップの後、前記外部サイトの前記第一ＵＲＬにアクセスし、前記第一画像データをダウンロードする第二ステップと、
前記第二ステップの後、前記第一画像データに対して変換処理を行い、前記第一ＵＲＬから第二及び第三ＵＲＬを生成することで、前記第一表示領域情報及び前記第二ＵＲＬに対応した第二画像データと、前記第二表示領域情報及び前記第三ＵＲＬに対応した第三画像データを生成する第三ステップと、
前記第三ステップの後、前記第一メールアドレスに前記第二ＵＲＬを送信し、前記第二メールアドレスに前記第三ＵＲＬを送信する第四ステップと、
前記第四ステップの後、前記第二及び第三ＵＲＬに対する外部からのアクセスを確認する第五ステップと、
前記第五ステップの後、前記第二ＵＲＬに対応する前記第二画像データと、前記第三ＵＲＬに対応する前記第三画像データとの間にて同期処理を行う第六ステップと、
前記第六ステップの後、前記第二画像データ及び前記第三画像データを外部に送信する画像通信方法。
【請求項２】
前記第三ステップの後、前記第一表示領域情報と前記第一メールアドレスと前記第二ＵＲＬと前記第二画像データとが対応しており、前記第二表示領域情報と前記第二メールアドレスと前記第三ＵＲＬと前記第三画像データとが対応していることを示すテーブルを完成させる請求項１に記載の画像通信方法。
【発明の詳細な説明】
【技術分野】
【０００１】
本発明は、１つの画像を複数分割して表示するための画像データを、外部の複数端末に送信する画像通信方法に関して有効な技術に関する。
【背景技術】
【０００２】
外部からの画像データを受けて分割表示する端末としての画像表示システムが以下の特許文献１に開示されている。
【先行技術文献】
【特許文献】
【０００３】
【特許文献１】特開平７−８４５６３号公報
【発明の概要】
【発明が解決しようとする課題】
【０００４】
上述した特許文献１においては、画像データを分割表示する画像表示システムに対して、特別な工夫が必要となり、画像データの処理負荷が大きく、画像表示システム自体が高コストとなる問題がある。
以上の事項を鑑みて、後述するような実施の形態を導き出した。
【課題を解決するための手段】
【０００５】
本願において開示される実施の形態のうち代表的なものの概要を簡単に説明すれば下記の通りである。
第一外部端末から、外部サイトの第一ＵＲＬと、第一外部端末に対応する第一メールアドレス及び第二外部端末に対応する第二メールアドレスと、外部サイトの第一ＵＲＬの第一画像データを２つに分割表示するための第一及び第二表示領域情報と第一及び第二メールアドレスとの対応関係を示す第一情報を受信する第一ステップを実行する。
第一ステップの後、外部サイトの第一ＵＲＬにアクセスし、第一画像データをダウンロードする第二ステップを実行する。
第二ステップの後、第一画像データに対して変換処理を行い、第一ＵＲＬから第二及び第三ＵＲＬを生成することで、第一表示領域情報及び第二ＵＲＬに対応した第二画像データと、第二表示領域情報及び第三ＵＲＬに対応した第三画像データを生成する第三ステップを実行する。
第三ステップの後、第一メールアドレスに第二ＵＲＬを送信し、第二メールアドレスに前記第三ＵＲＬを送信する第四ステップを実行する。
第四ステップの後、第二及び第三ＵＲＬに対する外部からのアクセスを確認する第五ステップを実行する。
第五ステップの後、第二ＵＲＬに対応する第二画像データと、第三ＵＲＬに対応する第三画像データとの間にて同期処理を行う第六ステップを実行する。
第六ステップの後、第二画像データ及び第三画像データを外部に送信する画像通信方法。
本実施の形態の新規な特徴は本明細書の記述及び添付図面から明らかになるであろう。
【発明の効果】
【０００６】
本実施の形態によれば、分割された画像表示を行う複数の端末側に特に新しい工夫を行うことなく、１つの画像を複数の端末の表示パネルに同期がとれた状態にて表示することが可能となる。
【図面の簡単な説明】
【０００７】
【図１】画像サーバーを含む通信システムの構成図である。
【図２】画像サーバーを含む通信システムの動作図である。
【図３】画像サーバーの内部処理を表した図である。
【図４】画像サーバーの内部処理を表した図である。
【図５】画像サーバーの内部処理を表した図である。
【発明を実施するための形態】
【０００８】
以下、図面を参照しながら、本発明を示す実施の形態について詳細に説明する。
以下の実施の形態においては便宜上その必要があるときは、複数のセクションまたは実施の形態に分割して説明するが、特に明示した場合を除き、それらはお互いに無関係なものではなく、一方は他方の一部または全部の変形例、応用例、詳細説明、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【０００９】
さらに、以下の実施の形態において、その構成要素（動作、タイミングチャート、動作ステップ等も含む）は、特に明示した場合および原理的に明らかに必須であると考えられる場合等を除き、必ずしも必須のものではない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数等（個数、数値、量、範囲等を含む）についても同様である。
【００１０】
以下、本発明の実施の形態を図面に基づいて詳細に説明する。なお、実施の形態を説明するための全図において、同一の機能を有する部位や部材には同一または関連する符号を付し、その繰り返しの説明は省略する。また、以下の実施の形態では、特に必要なとき以外は同一または同様な部分の説明を原則として繰り返さない。
【００１１】
（実施の形態１）
以下、図面を参照しながら本実施の形態の画像サーバー及びこの画像サーバーを含む通信システムの構成と画像サーバー及びこの画像サーバーを含む通信システムの動作について詳細に説明する。図１は画像サーバーを含む通信システムの構成図である。図２は画像サーバーを含む通信システムの動作図である。図３は画像サーバーの内部処理を表した図である。図４は画像サーバーの内部処理を表した図である。図５は画像サーバーの内部処理を表した図である。
【００１２】
まず図１を参照しながら、本実施の形態の画像サーバー及びこの画像サーバーを含む通信システムの構成について説明する。
画像サーバーＩＳは以下の構成を有する。画像サーバーＩＳ内部及び外部と情報をやり取りして処理する情報処理部ＩＰＵ。情報処理部ＩＰＵを介して受けた画像データを、情報処理部ＩＰＵの指示に従って分割する画像分割部ＩＤＵ。画像分割部ＩＤＵにて分割された画像データ同士に対して、情報処理部ＩＰＵの指示に従って同期処理を行う同期処理部ＳＰＵ。同期処理が行われてなおかつ分割された画像データを、情報処理部ＩＰＵの指示に従って携帯電話ネットワークＣＰＮＷを介して携帯電話に送信する送信部ＴＵ。携帯電話ネットワークＣＰＮＷを介して携帯電話からの情報を受けて情報処理部に送る受信部ＲＵ。
【００１３】
情報処理部ＩＰＵは複数の動画サイトＭＳＡ、ＭＳＢ、ＭＳＣと相互に情報のやり取りを行い、これら動画サイトから画像データをダウンロードしてくる。
携帯電話は携帯電話ネットワークＣＰＮＷを介して携帯電話同士や画像サーバーＩＳと情報をやり取りすることができる。多数の携帯電話が携帯電話ネットワークＣＰＮＷを介して情報をやり取りするが、本実施の形態では、４つの携帯電話ＣＰＡ，ＣＰＢ，ＣＰＣ，ＣＰＤが例示されている。
【００１４】
次に図２、図３、図４及び図５を参照しながら、画像サーバー及びこの画像サーバーを含む通信システムの動作について説明する。
一例として４つの携帯電話ＣＰＡ，ＣＰＢ，ＣＰＣ，ＣＰＤにて分割して画像を表示する例を説明する。分割数はもちろんいくつでも構わない。
【００１５】
ステップＳ１で、携帯電話ＣＰＡから画像サーバーＩＳに対して、携帯電話ＣＰＡ，ＣＰＢ，ＣＰＣ，ＣＰＤそれぞれのメールアドレスと、画像データにより表示される画像に関して各携帯電話が表示する画面位置（後に説明する領域Ａ，領域Ｂ，領域Ｃ，領域Ｄ）と、見たい画像データに対応するUniform Resource Locator（ユニフォームリソースロケータ、または統一資源位置指定子。以下、ＵＲＬと略して表記する）とを送信する。
次に画像サーバーＩＳは受信部ＲＵにて利用者の要求を受信する。
【００１６】
次にステップＳ２で、情報処理部ＩＰＵにて送られてきたＵＲＬに対応する動画サイト（例えばＭＳＡ）にアクセスする。
【００１７】
その結果、ステップＳ３で、要求コンテンツをダウンロードする。ダウンロードされた画像の例が図３に示されている。画像サーバーＩＳは基本画像データＢａｓｅＩｍａｇｅを格納し、この基本画像データＢａｓｅＩｍａｇｅに対応し動画サーバーＡが持つベースＵＲＬ（ＢａｓｅＵＲＬ）を格納する。
【００１８】
次にステップＳ４で、ダウンロードした基本画像データＢａｓｅＩｍａｇｅを画像分割部ＩＤＵに転送し、画像分割部ＩＤＵにて４画面に分割処理を実施する。
【００１９】
次にステップＳ５で、分割処理が完了したら、情報処理部ＩＰＵがベースＵＲＬ（ＢａｓｅＵＲＬ）から各分割画像に対応するＵＲＬを画像サーバーＩＳ内部にて作成することで、図４に示されているような分割された画像と、図５に示されているようなテーブルＴａｂｌｅが完成される。
【００２０】
図４に示すように、領域Ａに対応するＡ画像データＡｉｍａｇｅと、領域Ｂに対応するＢ画像データＢｉｍａｇｅと、領域Ｃに対応するＣ画像データＣｉｍａｇｅと、領域Ｄに対応するＤ画像データＤｉｍａｇｅとが作成される。Ａ画像データＡｉｍａｇｅはｈｔｔｐ：／ｗｗｗ．ｘｘｘｘｘｘ／ＹＹＹ＿Ａ．ｈｔｍｌ（ＡＵＲＬ）の格納領域に格納されており、Ｂ画像データＢｉｍａｇｅはｈｔｔｐ：／ｗｗｗ．ｘｘｘｘｘｘ／ＹＹＹ＿Ｂ．ｈｔｍｌ（ＢＵＲＬ）の格納領域に格納されており、Ｃ画像データＣｉｍａｇｅはｈｔｔｐ：／ｗｗｗ．ｘｘｘｘｘｘ／ＹＹＹ＿Ｃ．ｈｔｍｌ（ＣＵＲＬ）の格納領域に格納されており、Ｄ画像データＤｉｍａｇｅはｈｔｔｐ：／ｗｗｗ．ｘｘｘｘｘｘ／ＹＹＹ＿Ｄ．ｈｔｍｌ（ＤＵＲＬ）の格納領域に格納されている。図５に示すように、領域ＡがＡ画像データＡｉｍａｇｅに対応し、携帯電話ＣＰＡに割り当てられたメールアドレスのＡ−ｓａｎ＠＊＊＊．ｃｏ．ｊｐに対応し、ＵＲＬとしてｈｔｔｐ：／ｗｗｗ．ｘｘｘｘｘｘ／ＹＹＹ＿Ａ．ｈｔｍｌが対応する。領域Ｂ、領域Ｃ、領域Ｄも同じように作成され、テーブルＴａｂｌｅが完成される。
【００２１】
次にステップＳ６で、送信部ＴＵより各利用者（携帯電話ＣＰＡ，ＣＰＢ，ＣＰＣ，ＣＰＤ）に各ＵＲＬを通知する。携帯電話ＣＰＡに割り当てられたメールアドレスのＡ−ｓａｎ＠＊＊＊．ｃｏ．ｊｐにはｈｔｔｐ：／ｗｗｗ．ｘｘｘｘｘｘ／ＹＹＹ＿Ａ．ｈｔｍｌ（ＡＵＲＬ）を送信する。携帯電話ＣＰＢに割り当てられたメールアドレスのＢ−ｓａｎ＠＊＊＊．ｃｏ．ｊｐにはｈｔｔｐ：／ｗｗｗ．ｘｘｘｘｘｘ／ＹＹＹ＿Ｂ．ｈｔｍｌ（ＢＵＲＬ）を送信する。携帯電話ＣＰＣに割り当てられたメールアドレスのＣ−ｓａｎ＠＊＊＊．ｃｏ．ｊｐにはｈｔｔｐ：／ｗｗｗ．ｘｘｘｘｘｘ／ＹＹＹ＿Ｃ．ｈｔｍｌ（ＣＵＲＬ）を送信する。携帯電話ＣＰＤに割り当てられたメールアドレスのＤ−ｓａｎ＠＊＊＊．ｃｏ．ｊｐにはｈｔｔｐ：／ｗｗｗ．ｘｘｘｘｘｘ／ＹＹＹ＿Ｄ．ｈｔｍｌ（ＤＵＲＬ）を送信する。
【００２２】
次にステップＳ７で、各利用者（携帯電話ＣＰＡ，ＣＰＢ，ＣＰＣ，ＣＰＤ）は通知されたＵＲＬより画像サーバーＩＳへアクセスする。
【００２３】
次にステップＳ８で、情報処理部ＩＰＵは各利用者（携帯電話ＣＰＡ，ＣＰＢ，ＣＰＣ，ＣＰＤ）が画像サーバーＩＳへアクセスしたことを確認したら、送信のためにＡ画像データＡｉｍａｇｅ、Ｂ画像データＢｉｍａｇｅ、Ｃ画像データＣｉｍａｇｅ、Ｄ画像データＤｉｍａｇｅに対して同期処理部ＳＰＵにて同期処理を行う。
【００２４】
次にステップＳ９で、同期処理された各画像データを各利用者（携帯電話ＣＰＡ，ＣＰＢ，ＣＰＣ，ＣＰＤ）へ配信開始する。
【００２５】
次にステップＳ１０で、各利用者（携帯電話ＣＰＡ，ＣＰＢ，ＣＰＣ，ＣＰＤ）が同期処理された各画像データを受けることにより、各利用者は各携帯電話ＣＰＡ，ＣＰＢ，ＣＰＣ，ＣＰＤ間にて同期が取れた１つの表示画像を、複数の表示パネルにて分割された状態にて見ることとなる。
【００２６】
このようにテーブルを作成して、画像を受ける端末（携帯電話）と、分割画像領域、分割画像データの対応関係をとり、分割画像データを同期処理させて各端末に各画像データを送信することで、端末側に特に新しい工夫を行うことなく、１つの画像を複数の端末の表示パネルに同期がとれた状態にて表示することが可能となる。
【００２７】
（実施の形態２）
実施の形態１では、複数の領域に分けて画像を表示したが、本実施の形態では、複数の端末を用いて３Ｄ画像を表示させることが可能である。
【００２８】
実施の形態１で、基本画像データＢａｓｅＩｍａｇｅを４つに分割処理したが、その代わりに基本画像データＢａｓｅＩｍａｇｅから右側表示用画像データＲｉｍａｇｅと左側表示用画像データＬｉｍａｇｅとを生成すればよく、右側表示用画像データＲｉｍａｇｅに対応する領域Ａと左側表示用画像データＬｉｍａｇｅに対応する領域Ｂという２つの領域を生成すればよい。この場合領域Ｃ対応データと領域Ｄ対応データは無くなる。またこの場合には、領域Ａと領域Ｂとは大部分が互いに重なり合うように形成される。
【００２９】
この場合でも、テーブルを作成して、画像を受ける端末（携帯電話）と、画像領域、右側及び左側表示用画像データの対応関係をとり、右側及び左側表示用画像データを同期処理させて各端末に各画像データを送信することで、端末側に特に新しい工夫を行うことなく、２つの端末の表示パネルにて同期がとれた状態にて３Ｄ画像を表示することが可能となる。
【００３０】
以上本発明者によってなされた発明を実施形態に基づいて具体的に説明したが、本発明はそれに限定されるものではなく、その要旨を逸脱しない範囲において種々変更可能であることは言うまでもない。
【００３１】
例えば、実施の形態１と実施の形態２を組み合わせるような形態であってもよい。すなわち、右側表示用画像データＲｉｍａｇｅを複数領域に分けて表示し、左側表示用画像データＬｉｍａｇｅを複数領域に分けて表示してもよい。
【符号の説明】
【００３２】
ＩＳ  画像サーバー
ＩＰＵ  情報処理部
ＩＤＵ  画像分割部
ＳＰＵ  同期処理部
ＣＰＮＷ  携帯電話ネットワーク
ＴＵ  送信部
ＲＵ  受信部
ＭＳＡ、ＭＳＢ、ＭＳＣ  動画サイト
ＣＰＡ，ＣＰＢ，ＣＰＣ，ＣＰＤ  携帯電話
ＢａｓｅＩｍａｇｅ  基本画像データ
Ａｉｍａｇｅ  Ａ画像データ
Ｂｉｍａｇｅ  Ｂ画像データ
Ｃｉｍａｇｅ  Ｃ画像データ
Ｄｉｍａｇｅ  Ｄ画像データ
Ｌｉｍａｇｅ  左側表示用画像データ
Ｒｉｍａｇｅ  右側表示用画像データ
Ｔａｂｌｅ  テーブル
【図１】
2013134531.tif 000003
【図２】
2013134531.tif 000004
【図３】
2013134531.tif 000005
【図４】
2013134531.tif 000006
【図５】
2013134531.tif 000007